(57)【要約】【課題】ユーザが意図しない電力消費を低減することができる放送受信装置を提供すること。【解決手段】放送受信端末１００は、高品位の放送方式と前記高品位の放送方式よりも電力消費が少ない低品位の放送方式とを切り替えて番組の放送データを受信する受信処理部１４０と、受信された放送データに基づいて番組を出力する音声処理部１５０および映像処理部１７０と、高品位の放送方式において番組の切り替わりに対応して端末操作が行われなかったことを条件として、受信処理部１４０に対し低品位の放送方式に切り替えさせる放送規格切替処理部２５０とを有する。【選択図】図１
2011234108.tif 000002
【特許請求の範囲】
【請求項１】
高品位の放送方式と前記高品位の放送方式よりも電力消費が少ない低品位の放送方式とを切り替えて番組の放送データを受信する受信処理手段と、
受信された前記放送データに基づいて前記番組を出力する番組出力手段と、
前記高品位の放送方式において前記番組の切り替わりに対応して端末操作が行われなかったことを条件として、前記受信処理手段に対し前記低品位の放送方式に切り替えさせる放送切替処理手段と、
を有する放送受信装置。
【請求項２】
前記放送切替処理手段は、前記番組の切り替わりの時点を基準とする所定の区間に端末操作が行われなかったことを条件として、前記受信処理手段に対し前記低品位の放送方式に切り替えさせる、
請求項１記載の放送受信装置。
【請求項３】
電池残量を検知する電池残量検知部、を更に有し、
前記所定の区間は、検知された前記電池残量に応じて異なる、
請求項２記載の放送受信装置。
【請求項４】
前記放送切替処理手段は、
前記電池残量が閾値以下、もしくは、前記番組の切り替わりに対応して端末操作が行われなかった時間の長さが閾値以上になったことを条件として、前記受信処理手段に対し、前記放送データの受信を停止させる、
請求項３記載の放送受信装置。
【請求項５】
前記所定の区間は、前記番組の切り替わりの時点を含む区間である、
請求項２記載の放送受信装置。
【請求項６】
前記端末操作は、前記番組に関する操作である、
請求項１記載の放送受信装置。
【請求項７】
前記端末操作は、前記番組が出力されている間に行われる操作である、
請求項１記載の放送受信装置。
【請求項８】
前記放送切替処理手段は、
次の番組の切り替わりのタイミングで、前記受信処理手段に対し前記低品位の放送方式に切り替えさせる、
請求項１記載の放送受信装置。
【請求項９】
前記放送切替処理手段は、
前記低品位の放送方式において端末操作が行われたことを条件として、前記受信処理手段に対し、前記高品位の放送方式に切り替えさせる、
請求項１記載の放送受信装置。
【請求項１０】
前記放送方式の切り替えに関する情報を画面に表示する画面表示処理部、を更に有する、
請求項１記載の放送受信装置。
【請求項１１】
高品位の放送方式による番組の放送データの受信を開始するステップと、
受信した前記放送データに基づく前記番組の出力を開始するステップと、
前記番組の切り替わりに対応して端末操作が行われたか否かを判断するステップと、
前記番組の切り替わりに対応して端末操作が行われなかったとき、前記受信の方式を、前記高品位の放送方式よりも電力消費が少ない低品位の放送方式に切り替えるステップと、
を有する放送受信方法。
【発明の詳細な説明】
【技術分野】
【０００１】
本発明は、携帯型の放送受信装置およびこの装置における放送受信方法に関する。
【背景技術】
【０００２】
近年、複数のセグメントのうち１つのセグメントを使用する放送サービスであるワンセグ放送対応の携帯電話機や携帯テレビ等、放送番組を視聴することができる携帯型の装置の普及が進んでいる。このような装置は、バッテリ電源で動作するため、省電力化が重要となる。
【０００３】
そこで、バッテリの電力の残量が閾値以下となったときに、デコード処理の動作を省電力動作に切り替える技術がある（特許文献１参照）。この技術によれば、番組視聴の快適性をできるだけ損なわずに、バッテリ電源の使用可能な時間を長くすることができる。
【先行技術文献】
【特許文献】
【０００４】
【特許文献１】特開２００８−１２４６４６号公報
【発明の概要】
【発明が解決しようとする課題】
【０００５】
ところで、複数のセグメントのすべてのセグメントを使用する放送サービスであるフルセグ放送等、高品位の放送方式における受信処理には、多大な電力消費が伴う。したがって、特許文献１記載の技術を採用しても、ユーザが意図しないほどバッテリの電力を消費してしまうことがある。
【０００６】
本発明の目的は、ユーザが意図しない電力消費を低減することができる放送受信装置および放送受信方法を提供することである。
【課題を解決するための手段】
【０００７】
本発明の放送受信装置は、高品位の放送方式と前記高品位の放送方式よりも電力消費が少ない低品位の放送方式とを切り替えて番組の放送データを受信する受信処理手段と、受信された前記放送データに基づいて前記番組を出力する番組出力手段と、前記高品位の放送方式において前記番組の切り替わりに対応して端末操作が行われなかったことを条件として、前記受信処理手段に対し前記低品位の放送方式に切り替えさせる放送切替処理手段とを有する。
【０００８】
本発明の放送受信方法は、高品位の放送方式による番組の放送データの受信を開始するステップと、受信した前記放送データに基づく前記番組の出力を開始するステップと、前記番組の切り替わりに対応して端末操作が行われたか否かを判断するステップと、前記番組の切り替わりに対応して端末操作が行われなかったとき、前記受信の方式を、前記高品位の放送方式よりも電力消費が少ない低品位の放送方式に切り替えるステップとを有する。
【発明の効果】
【０００９】
本発明によれば、番組の切り替わりがあったにもかかわらず端末操作が行われていない場合、つまりユーザが番組を視聴していない可能性が高い場合には、より省電力な低品位の放送方式に切り替えるので、ユーザが意図しない電力消費を低減することができる。
【図面の簡単な説明】
【００１０】
【図１】本発明の一実施の形態に係る放送受信装置としての放送受信端末の構成を示すブロック図
【図２】本実施の形態における操作状態検知部の構成を示すブロック図
【図３】本実施の形態における操作状態検知部の動作を示すフローチャート
【図４】本実施の形態における放送規格切替処理部の動作を示すフローチャート
【発明を実施するための形態】
【００１１】
以下、本発明の一実施の形態について、図面を参照して詳細に説明する。
【００１２】
図１は、本発明の一実施の形態に係る放送受信装置としての放送受信端末の構成を示すブロック図である。本実施の形態は、本発明を、地上デジタル放送のフルセグ放送およびワンセグ放送を切り替えて受信する機能を有する、折り畳み型の携帯電話機に適用した例である。
【００１３】
放送用アンテナ１１０は、番組を放送する地上デジタル放送の放送信号を受信し、受信した放送信号を、高画質規格対応チューナ部１２０および低画質規格対応チューナ部１３０へ出力する。
【００１４】
高画質規格対応チューナ部１２０は、受信処理部１４０の制御を受けて、入力された放送信号のうち、高画質（高品位）規格の放送であるフルセグ放送のチャンネルの信号に対して、６４ＱＡＭ等の復調処理を行う。高画質規格対応チューナ部１２０は、復調したフルセグ放送のストリームデータを、受信処理部１４０へ出力する。
【００１５】
低画質規格対応チューナ部１３０は、受信処理部１４０の制御を受けて、入力された放送信号のうち、モバイル向けの省電力・低品質（低品位）規格の放送であるワンセグ放送のチャンネルの信号に対して、ＱＰＳＫ等の復調処理を行う。低画質規格対応チューナ部１３０は、復調したワンセグ放送のストリームデータを、受信処理部１４０へ出力する。
【００１６】
受信処理部１４０は、フルセグ放送のストリームデータとワンセグ放送のストリームデータと（以下適宜「放送データ」と総称する）を切り替えて動作させ、ストリームデータを入力する。受信処理部１４０は、フルセグ放送のストリームデータに対しては、ＭＰＥＧ−２（Moving Picture Experts Group - 2）等の復号処理を含む受信処理を行う。また、受信処理部１４０は、ワンセグ放送のストリームデータに対しては、Ｈ.２６４等の復号処理を含む受信処理を行う。受信処理部１４０は、受信処理により、放送データから、音声データ、映像データ、および番組情報を取得する。ここで、番組情報は、受信中の放送データの番組を特定する情報や番組の終了時刻に関する情報を少なくとも含む。
【００１７】
受信処理部１４０は、音声データを、音声処理部１５０へ出力し、映像データを、映像処理部１７０へ出力する。また、受信処理部１４０は、番組情報および放送規格情報を、操作状態検知部２４０へ出力する。ここで、放送規格情報は、フルセグ放送を受信する状態（以下「高画質規格」という）と、ワンセグ放送を受信する状態（以下「低画質規格」という）とのいずれであるかを示す情報である。
【００１８】
音声処理部１５０は、入力された音声データを、スピーカ１６０で出力可能なアナログ音声信号に変換し、スピーカ１６０へ出力する。
【００１９】
スピーカ１６０は、例えばラウドスピーカであり、入力されたアナログ音声信号を音声に変換して出力する。すなわち、スピーカ１６０は、番組の音声を出力する。
【００２０】
映像処理部１７０は、入力された映像データを、ディスプレイ１８０で処理可能な映像信号に変換し、画面表示処理部２６０を介してディスプレイ１８０へ出力する。
【００２１】
ディスプレイ１８０は、例えば液晶ディスプレイであり、入力された映像信号に基づいて画像表示を行う。すなわち、ディスプレイ１８０は、番組の映像を出力する。
【００２２】
端末操作検知部１９０は、例えばキースイッチや上述の液晶ディスプレイに配置されたタッチパネルであり、放送受信端末１００に対するユーザの操作（以下「端末操作」という）を検知する。端末操作検知部１９０は、検知した端末操作の内容を示す操作情報を、操作状態検知部２４０へ出力する。
【００２３】
前面表示検知部２００は、テレビアプリ以外のアプリケーションが表示されている状態となっているとき、これを検知する。そして、前面表示検知部２００は、テレビアプリ以外のアプリケーションが表示されているか否かを示す表示状態情報を、操作状態検知部２４０へ出力する。携帯電話機では、通常、テレビアプリの動作中でも、メール等の他のアプリケーションを表示し、他のアプリケーションに対する操作が可能である。したがって、表示状態情報からは、現在行われている端末操作がテレビアプリに対する操作であるか否かを判断することができる。以下、テレビアプリに対する端末操作を、「テレビ操作」という。
【００２４】
端末開閉検知部２１０は、例えばロータリースイッチであり、放送受信端末１００の開閉状態を検知する。端末開閉検知部２１０は、開閉状態を示す開閉状態情報を、操作状態検知部２４０へ出力する。開閉状態情報からは、現在、テレビアプリの映像が表示されているか否か判断することができる。
【００２５】
バッテリ２２０は、例えばリチウムイオン電池であり、放送受信端末１００の動作のための電力を蓄電する。
【００２６】
バッテリ残量検知部２３０は、バッテリ２２０の電力の残量（以下「バッテリ残量」という）を検知し、バッテリ残量を示すバッテリ残量情報を、操作状態検知部２４０へ出力する。
【００２７】
操作状態検知部２４０は、高画質規格において、番組の切り替わり（以下「番組切替」という）に対応して、テレビ操作が行われたか否かを判断する。以下、テレビ操作が行われていない状態が継続している時間およびその長さを、「無操作時間」という。
【００２８】
図２は、操作状態検知部２４０の構成を示すブロック図である。説明の便宜のため、操作状態検知部２４０の周辺の機能部についても併せて図示する。
【００２９】
番組情報取得部２４１は、受信処理部１４０から出力される番組情報および放送規格情報を取得する。番組情報取得部２４１は、放送規格情報については放送規格切替判断部２４３へ出力し、番組情報については放送規格切替判断部２４３へ出力すると共に番組情報保存領域２４２に保存する。
【００３０】
放送規格切替判断部２４３は、入力される放送規格情報に基づいて高画質規格となっているか否かを判断する。また、放送規格切替判断部２４３は、番組情報保存領域２４２に保存された過去の番組情報と入力される現在の番組情報とを比較して、番組切替が発生したか否かを判断する。更に、放送規格切替判断部２４３は、タイマ２４４を用いて、高画質規格において番組切替に対応してテレビ操作が行われたか否かを判断する。具体的には、放送規格切替判断部２４３は、入力される操作情報、表示状態情報、および端末開閉情報に基づいて、端末操作があり、テレビアプリが表示されており、かつ端末が開いた状態となっているか否かを判断する。そして、放送規格切替判断部２４３は、端末操作があり、テレビアプリが表示されており、かつ端末が開いた状態となっているとき、テレビ操作が行われたと判断する。
【００３１】
そして、放送規格切替判断部２４３は、無操作時間またはその後の所定の時間内に番組の切り替りがあった場合、低画質規格への切り替えを指示する放送規格指示を、放送規格切替部２５０へ出力する。また、放送規格切替判断部２４３は、低画質規格中に、テレビ操作があった場合に、高画質規格への切り替えを指示する放送規格指示を、放送規格切替部２５０へ出力する。また、放送規格切替判断部２４３は、低画質規格中に、バッテリ残量が所定の閾値以下、もしくは、無操作時間が所定の閾値以上となったとき、放送受信の終了（テレビアプリの終了）を指示する放送規格指示を、放送規格切替処理部２５０へ出力する。
【００３２】
また、放送規格切替判断部２４３は、放送方式の切り替えに関する情報を示す切替動作情報を、画面表示処理部２６０へ出力する。切替動作情報は、例えば、現在の無操作時間や、番組切替、放送方式の切り替え、およびテレビ操作の有無を示す。
【００３３】
図１の画面表示処理部２６０は、入力された切替動作情報の内容を示す画像を生成し、ディスプレイ１８０に入力される映像信号に重畳することにより、当該画像をディスプレイ１８０に表示する。画面表示処理部２６０が表示する画像は、例えば、所定のピクト（アイコン）である。この所定のピクトは、例えば、最後にテレビ操作が行われてからの経過時間に応じて、あるいは、番組切替、放送方式の切り替え、またはテレビ操作（つまり最後にテレビ操作が行われてからの経過時間の初期化）が発生したタイミングで、色やデザイン等の形態が変わるものである。これにより、ユーザは、放送受信端末１００の省電力に関する動作の状態を把握することができ、適宜後述のテレビ操作を行うことにより、高画質規格を維持させることができる。
【００３４】
放送規格切替処理部２５０は、入力される放送規格指示に従って、受信処理部１４０に対し、受信処理を行う放送方式を切り替えさせ、または、受信処理を停止させる。
【００３５】
また、放送受信端末１００は、図示しないが、ＣＰＵ（central processing unit）、制御プログラムを格納したＲＯＭ（read only memory）などの記憶媒体、ＲＡＭ（random access memory）などの作業用メモリ、および無線通信回路を有する。すなわち、上記した各部の機能は、ＣＰＵが制御プログラムを実行することにより実現される。また、放送用アンテナ１１０〜ディスプレイ１８０の機能により、放送受信端末１００において、地上デジタル放送を視聴するためのアプリケーションソフトウェア（以下「テレビアプリ」という）が実現される。
【００３６】
通常、デジタルテレビ放送を視聴しているユーザは、番組が切り替わるタイミングの前後で、チャンネル切り替えや音量操作等の操作を行う。したがって、例えば、番組が切り替わったにもかかわらず、その直前の１０分間およびその直後の１分間になんらテレビ操作が行われなかったような場合には、ユーザは番組を視聴していない可能性が高い。
【００３７】
一方で、ワンセグ放送のストリームデータに対する復調処理および復号処理は、フルセグ放送のストリームデータに対する復調処理および復号処理に比べて、消費電力が低い。ユーザが視聴していないにもかかわらず消費電力が高い高画質規格を継続することは、ユーザが意図しない電力消費に繋がる。
【００３８】
そこで、上述の構成を有する放送受信端末１００は、高画質規格において番組切替に対応してテレビ操作が行われなかったことを条件として、低画質規格に切り替える。これにより、放送受信端末１００は、ユーザが視聴していないまま番組が切り替わった場合に、より省電力な低画質の放送方式に切り替えることができ、ユーザが意図しない電力消費を低減することができる。
【００３９】
以下、放送受信端末１００の動作について説明する。
【００４０】
放送受信端末１００が稼動している間、操作状態検知部２４０には、番組情報、操作情報、端末開閉情報、表示状態情報、およびバッテリ残量情報が、それぞれ継続的に入力される。受信処理部１４０は、放送規格切替処理部２５０からの放送方式の切替制御を受けて、継続的に、音声データ、映像データ、および番組情報を出力する。
【００４１】
すなわち、放送受信端末１００の動作は、主に、操作状態検知部２４０の動作および放送規格切替処理部２５０の動作によって実現される。そこで、本実施の形態では、操作状態検知部２４０の動作および放送規格切替処理部２５０の動作を中心に、説明を行う。
【００４２】
図３は、操作状態検知部２４０の動作を示すフローチャートである。なお、操作状態検知部２４０の番組情報取得部２４１は、放送規格情報の放送規格切替判断部２４３への出力を継続的に行っているものとする。
【００４３】
まず、ステップＳ１１００において、操作状態検知部２４０は、放送規格切替判断部２４３で、操作情報および表示状態情報に基づいて、放送受信端末１００に対する新たなテレビ操作があったか否かを判断する。操作状態検知部２４０は、テレビ操作があった場合には（Ｓ１１００：ＹＥＳ）、ステップＳ１２００へ進み、テレビ操作がなかった場合には（Ｓ１１００：ＮＯ）、後述のステップＳ１３００へ進む。
【００４４】
ステップＳ１２００において、操作状態検知部２４０は、放送規格切替判断部２４３で、タイマ２４４を初期値０に設定し、タイマ２４４のカウントを開始させる。
【００４５】
そして、ステップＳ１４００において、操作状態検知部２４０は、番組情報取得部２４１で、番組情報を取得し、番組情報保存領域２４２に保存する。
【００４６】
そして、ステップＳ１５００において、操作状態検知部２４０は、放送規格切替判断部２４３で、放送規格切替処理部２５０に対し、高画質規格への切り替えを指示する放送規格指示を出力する。
【００４７】
そして、ステップＳ１３００において、操作状態検知部２４０は、放送規格切替判断部２４３で、タイマ２４４のカウント値が、予め定められた指定時間に達したか否か、つまり、最後のテレビ操作からの無操作時間が指定時間に達したか否かを判断する。操作状態検知部２４０は、無操作時間が指定時間に達していない場合には（Ｓ１３００：ＮＯ）、ステップＳ１１００へ戻り、無操作時間が指定時間に達した場合には（Ｓ１３００：ＹＥＳ）、ステップＳ１６００へ進む。
【００４８】
ステップＳ１６００において、操作状態検知部２４０は、番組情報取得部２４１で、放送規格情報に基づいて、低画質規格であるか判断する。操作状態検知部２４０は、低画質規格ではない場合には（Ｓ１６００：ＮＯ）、ステップＳ１７００へ進み、低画質規格である場合には（Ｓ１６００：ＹＥＳ）、ステップＳ１６５０へ進む。
【００４９】
ステップＳ１６５０において、操作状態検知部２４０は、バッテリ残量が一定の閾値以下となっているか否かを判断する。操作状態検知部２４０は、バッテリ残量が一定の閾値以下ではない場合には（Ｓ１６５０：ＮＯ）、ステップＳ１１００へ戻り、バッテリ残量が一定の閾値以下である場合には（１６５０：ＹＥＳ）、ステップＳ１８００へ進む。なお、操作状態検知部２４０は、ステップＳ１３００と同様に、無操作時間が更に所定の閾値に到達したことをもって、ステップＳ１８００へ進むようにしても良い。
【００５０】
ステップＳ１７００において、操作状態検知部２４０は、放送規格切替判断部２４３で、番組情報保存領域２４２から過去に保存された番組情報のうち最後のもの（つまり最後にテレビ操作が行われたときの番組情報）を取得する。また、操作状態検知部２４０は、番組情報取得部２４１から出力される番組情報（つまり現在の番組情報）を取得する。
【００５１】
そして、ステップＳ１９００において、操作状態検知部２４０は、放送規格切替判断部２４３で、番組情報に基づいて、無操作時間あるいは無操作時間の後の所定の時間内に、番組切替があったか否かを判断する。具体的には、操作状態検知部２４０は、最後にテレビ操作が行われたときの番組情報が示す番組と、現在の番組情報が示す番組とが一致するか否かに基づいて、番組切替があったか否かを判断する。操作状態検知部２４０は、番組切替がなかった場合には（Ｓ１９００：ＮＯ）、ステップＳ１１００へ戻り、番組切替があった場合には（Ｓ１９００：ＹＥＳ）、ステップＳ２０００へ進む。なお、上述の所定の時間の長さは、０以上の任意の値を設定することができるが、番組切替のタイミングとの関係で、ユーザがテレビアプリを視聴していないことが推定されるような、短い時間であることが望ましい。
【００５２】
ステップＳ２０００において、操作状態検知部２４０は、放送規格切替判断部２４３で、放送規格切替処理部２５０に対し、低画質規格への切り替えを指示する放送規格指示を出力して、ステップＳ１１００へ戻る。
【００５３】
また、ステップＳ１８００において、操作状態検知部２４０は、放送規格切替判断部２４３で、放送規格切替処理部２５０に対し、テレビアプリの終了を通知する放送規格指示を出力して、一連の処理を終了する。
【００５４】
このような動作により、操作状態検知部２４０は、高画質規格において、無操作時間が指定時間に達し、途中で番組が切り替わった場合には、低画質規格への切り替えを指示する放送規格指示を出力することができる。また、操作状態検知部２４０は、低画質規格において、テレビ操作が行われた場合には、高画質規格への切り替えを指示する放送規格指示を出力することができる。更に、操作状態検知部２４０は、低画質規格において、テレビ操作が行われない状態のまま無操作時間が指定時間に達した場合には、テレビアプリの終了を指示する放送規格指示を出力することができる。
【００５５】
なお、操作状態検知部２４０は、無操作時間が開始した時点の番組情報ではなく、無操作時間が経過した時点の番組情報との比較に基づいて、番組切替の有無を判断しても良い。具体的には、操作状態検知部２４０は、ステップＳ１４００の処理を、例えばステップＳ１６００の直前に行うようにする。この場合、放送受信端末１００は、無操作時間が経過した後の最初の番組切替において番組切替の発生を検知することになり、高画質規格への切り替えを、番組の途中ではなく、次の番組切替のタイミングで行うことになる。これにより、放送受信端末１００は、画質低下に対するユーザの違和感を軽減することができる。
【００５６】
図４は、放送規格切替処理部２５０の動作を示すフローチャートである。なお、放送規格切替処理部２５０は、受信処理部１４０が現在どちらの放送方式で受信処理を行っているかを、常に確認可能であるものとする。
【００５７】
まず、ステップＳ２１００において、放送規格切替処理部２５０は、操作状態検知部２４０から、テレビアプリの終了を指示する放送規格指示が入力されたか否かを判断する。放送規格切替処理部２５０は、当該放送規格指示が入力されていない場合には（Ｓ２１００：ＮＯ）、ステップＳ２２００へ進み、当該放送規格指示が入力された場合には（Ｓ２１００：ＹＥＳ）、ステップＳ２３００へ進む。
【００５８】
ステップＳ２２００において、放送規格切替処理部２５０は、操作状態検知部２４０から、低画質規格への切り替えを指示する放送規格指示が入力されたか否かを判断する。放送規格切替処理部２５０は、当該放送規格指示が入力された場合には（Ｓ２２００：ＹＥＳ）、ステップＳ２４００へ進み、当該放送規格指示が入力されていない場合には（Ｓ２２００：ＮＯ）、ステップＳ２５００へ進む。
【００５９】
ステップＳ２４００において、放送規格切替処理部２５０は、低画質規格となっているか否かを判断する。放送規格切替処理部２５０は、低画質規格となっている場合には（Ｓ２４００：ＹＥＳ）、ステップＳ２１００へ戻り、低画質規格となっていない場合（つまり高画質規格となっている場合）には（Ｓ２４００：ＮＯ）、ステップＳ２６００へ進む。
【００６０】
ステップＳ２６００において、放送規格切替処理部２５０は、受信処理部１４０に対して、低画質規格に切り替えさせて、ステップＳ２１００へ戻る。
【００６１】
また、ステップＳ２５００において、操作状態検知部２４０から、高画質規格への切り替えを指示する放送規格指示が入力されたか否かを判断する。放送規格切替処理部２５０は、当該放送規格指示が入力された場合には（Ｓ２５００：ＹＥＳ）、ステップＳ２７００へ進み、当該放送規格指示が入力されていない場合には（Ｓ２５００：ＮＯ）、ステップＳ２１００へ戻る。
【００６２】
ステップＳ２７００において、放送規格切替処理部２５０は、高画質規格となっているか否かを判断する。放送規格切替処理部２５０は、高画質規格となっている場合には（Ｓ２７００：ＹＥＳ）、ステップＳ２１００へ戻り、高画質規格となっていない場合（つまり低画質規格となっている場合）には（Ｓ２７００：ＮＯ）、ステップＳ２８００へ進む。
【００６３】
ステップＳ２８００において、放送規格切替処理部２５０は、受信処理部１４０に対して、高画質規格に切り替えさせて、ステップＳ２１００へ戻る。
【００６４】
一方、ステップＳ２３００において、放送規格切替処理部２５０は、受信処理部１４０に対し、受信処理を停止させる処理（つまりテレビアプリを停止させる処理）を実行して、一連の処理を終了する。
【００６５】
このような動作により、放送規格切替処理部２５０は、操作状態検知部２４０からの指示に従って、受信処理部１４０の放送方式の切り替えおよび受信処理の終了を制御することができる。
【００６６】
以上説明したように、本実施の形態に係る放送受信端末１００は、高画質規格において番組切替に対応してテレビ操作が行われなかったことを条件として、低画質規格に切り替える。これにより、放送受信端末１００は、ユーザが視聴していないまま番組が切り替わった場合に、より省電力な低画質の放送方式に切り替えることができ、ユーザが意図しない電力消費を低減することができる。したがって、例えば、ユーザがテレビアプリを消し忘れてしまった場合には、電力が不要に消費されることになるが、放送受信端末１００は、このような不要な電力消費を低減することができる。
【００６７】
また、放送受信端末１００は、低画質規格への切替あるいは受信処理の停止の判断の対象とする端末操作をテレビ操作に限定している。したがって、放送受信端末１００は、カウント時間が不適切に延びることを防ぎ、ユーザが番組を視聴していないにもかかわらず高画質規格や受信処理が継続されるのを防止することができる。また、放送受信端末１００は、ユースケースに合わせて、省電力と、必要な音質および画質とのバランスを取ることができる。
【００６８】
なお、放送受信端末１００は、特に番組の録画を行っている場合において、受信中の番組が終了するまで高画質規格を継続してもバッテリ残量で受信を賄えるときは、低画質規格に切り替えないようにしても良い。この場合、放送受信端末１００は、例えば、番組情報等から現在の番組の残り時間を取得し、取得した残り時間において高画質規格を継続した場合に必要な電力量を算出する。そして、放送受信端末１００は、算出した電力量と、バッテリ情報が示すバッテリ残量とを比較し、バッテリ残量が上回る場合には、低画質規格への切り替えを指示しないようにする。これにより、放送受信端末１００は、バッテリ残量に余裕がある場合にはできるだけ高画質での視聴を継続しつつ、ユーザが意図しない電力消費の低減を図ることができる。
【００６９】
また、放送受信端末１００は、バッテリ残量、番組種別、ユーザの番組の視聴スタイル等、他の各種条件に応じて、低画質規格への切り替えの判断基準として用いる上述の指定時間を変化させても良い。この場合、例えば、放送受信端末１００は、条件毎に、その条件と指定時間とを対応付けたテーブルを予め格納しておく。そして、放送受信端末１００は、現在の条件を特定し、特定した条件に対応する指定時間を選択する。例えば、放送受信端末１００は、バッテリ残量が多いほど指定時間を長くする。また、放送受信端末１００は、クラシック音楽の演奏番組等、テレビ操作の頻度が元々低いような番組種別については、指定時間を長くする。また、放送受信端末１００は、放送受信端末１００が閉じており番組の音声のみが出力されている場合等、テレビ操作の頻度が元々低いような視聴スタイルについては、指定時間を長くする。また、放送受信端末１００は、上述の所定の閾値についても、同様に各種条件に応じて変化させても良い。このような手法によっても、放送受信端末１００は、できるだけ高画質での視聴を継続しつつ、ユーザが意図しない電力消費の低減を図ることができる。
【００７０】
また、放送受信端末１００は、バッテリ残量に応じて、低画質規格への切り替えの判断基準として用いる上述の指定時間を変化させても良い。この場合、放送受信端末１００は、例えば、バッテリ残量が多いほど指定時間が長くなる形でバッテリ残量と指定時間との対応付けを予め行っておき、バッテリ残量に応じて指定時間を変化させる。また、放送受信端末１００は、上述の所定の閾値についても、同様にバッテリ残量に応じて変化させても良い。このような手法によっても、放送受信端末１００は、バッテリ残量に余裕がある場合にはできるだけ高画質での視聴を継続しつつ、ユーザが意図しない電力消費の低減を図ることができる。
【００７１】
また、放送受信端末１００は、番組切替の前と後とで個別に時間を設定し、高画質規格において両方の時間でテレビ操作が行われなかったときに、低画質規格に切り替えるようにしても良い。このように個別に時間を設定し、それぞれの時間を適切な長さにすることにより、番組切替の直前または直後にテレビ操作が行われたにもかかわらず低画質規格に切り替わってしまうのを防ぐことができる。
【００７２】
また、以上説明した実施の形態では、放送受信端末１００は、無操作時間が経過し、かつ、その間に番組切替があったことを、低画質規格への切替あるいは受信処理の停止のトリガとしたが、番組切替のみをトリガとしても良い。番組の切り替わりに伴い、ユーザが求める画質のレベルやユーザの視聴の程度が低下することがあるからである。これにより、ユーザが意図しない電力消費を更に低減することができる。なお、ユーザは、必要に応じて、テレビ操作を行うことにより、高画質への視聴にすぐに切り替えることができる。
【００７３】
また、放送受信端末１００は、無操作時間あるいはその後の所定の時間内に番組切替が発生したことを、低画質規格への切替あるいは受信処理の停止のトリガとする場合には、番組切替の発生の検出と同時に、低画質規格への切替あるいは受信処理の停止を行っても良い。これにより、番組切替とほぼ同時に省電力動作に切り替えることができ、更に電力消費の低減を図ることができる。
【００７４】
また、以上説明した実施の形態では、高品位の放送方式および低品位の放送方式を、フルセグ放送およびワンセグ放送としたが、本発明の適用はこれに限定されない。更にいえば、本発明は、例えばデジタルラジオ放送等、消費電力の異なる複数の放送方式を有する、テレビジョン放送以外の各種放送にも適用することができる。すなわち、本発明は、電力消費が大きいが高品位の規格と、電力消費の少ない低品位の規格とを切替えることがポイントであり、例えば、デジタルラジオ等の規格では、高品位の規格を高音質規格に、低品位の規格を低音質規格に、それぞれ当て嵌めることができる。本発明は、同一の番組を視聴可能な各種の高品位の放送方式と低品位の放送方式との組み合わせに適用可能である。
【産業上の利用可能性】
【００７５】
本発明に係る放送受信装置は、ユーザが意図しない電力消費を低減することができる放送受信装置および放送受信方法として有用である。
【符号の説明】
【００７６】
１００  放送受信端末
１１０  放送用アンテナ
１２０  高画質規格対応チューナ部
１３０  低画質規格対応チューナ部
１４０  受信処理部
１５０  音声処理部
１６０  スピーカ
１７０  映像処理部
１８０  ディスプレイ
１９０  端末操作検知部
２００  前面表示検知部
２１０  端末開閉検知部
２２０  バッテリ
２３０  バッテリ残量検知部
２４０  操作状態検知部
２４１  番組情報取得部
２４２  番組情報保存領域
２４３  放送規格切替判断部
２４４  タイマ
２５０  放送規格切替処理部
２６０  画面表示処理部
【図１】
2011234108.tif 000003
【図２】
2011234108.tif 000004
【図３】
2011234108.tif 000005
【図４】
2011234108.tif 000006